(57)【要約】【課題】複数の照明灯（道路灯）が接続された接続システムにおいて、安定器の絶縁不良などの故障が発生した場合に、その故障箇所の特定を簡単かつ短時間で終了できるようにする。【解決手段】入力端子Ｔ１１と出力端子Ｔ１２との間に断路器ＳＷ１１を接続したマスターボックス１０１と、入力端子Ｔ２１と安定器接続端子Ｔ２４との間に断路器ＳＷ２１を接続したスレーブボックス１０２とを用い、１照明回路を構成する複数の道路灯１を少なくとも２つのグループに分け、その各グループを構成する複数の道路灯１のうちの１つにマスターボックス１０１を設け、他の道路灯１にはスレーブボックス１０２を設けて、１つのマスターボックス１０１に対して複数のスレーブボックス１０２を直列に接続し、さらに、これら複数のグループを電源回線に直列接続する。このようにしてグループ化することで、故障箇所の絞り込み（特定）に要する時間を短くすることができる。【選択図】図３
2010080305.tif 000002
【特許請求の範囲】
【請求項１】
安定器を有する複数の照明灯の接続システムであって、
入力端子と、出力端子と、安定器接続端子と、断路器とを備え、前記入力端子と出力端子とが断路器を介して接続され、前記入力端子と安定器接続端子とが接続された第１ボックスと、
入力端子と、出力端子と、安定器接続端子と、断路器とを備え、前記入力端子と出力端子とが接続され、前記入力端子と安定器接続端子とが断路器を介して接続された第２ボックスとを用い、
前記複数の照明灯を少なくとも２つのグループに分け、その各グループを構成する複数の照明灯のうちの１つに前記第１ボックスを設けてその照明灯の安定器を当該第１ボックスの前記安定器接続端子に接続し、他の各照明灯にはそれぞれ前記第２ボックスを設けてその各照明灯の安定器を当該第２ボックスの安定器接続端子に接続し、
１グループを構成する複数の照明灯について、前記第１ボックスの出力端子と前記第２ボックスの入力端子とを接続し、第２ボックス同士は、その一方の第２ボックスの出力端子と他方の第２ボックスの入力端子とを接続することにより、１つの第１ボックスに対して複数の第２ボックスを直列に接続し、
前記複数のグループ間の接続については、１グループの第１ボックスの出力端子と他グループの第１ボックスの入力端子とを接続するか、または、１グループの末端に配置された第２ボックスの出力端子と他グループの第１ボックスの入力端子とを接続したことを特徴とする照明灯の接続システム。
【請求項２】
請求項１記載の照明灯の接続システムにおいて、
前記第１ボックスの安定器接続端子に避雷器が接続されていることを特徴とする照明灯の接続システム。
【発明の詳細な説明】
【技術分野】
【０００１】
本発明は、例えば道路灯、トンネル灯、街路灯、あるいは、倉庫・工場照明灯などの室外施設用の照明灯の接続システムに関する。
【背景技術】
【０００２】
高速道路に設置される道路灯においては、例えば高速道路設備の電気室（インターチェンジ設置）においてフィーダ系統ごとに管理されている。高速道路設備の電気室には、例えば４〜５フィーダの系統が設置され、その１つのフィーダ系統（１照明回路）には多数（例えば２０灯程度）の道路灯が接続されている。このような道路照明設備では、各フィーダ系統に対し主電源回線と調光電源回線とが布設されており、通常、主電源をオンとした後に調光電源をオンにするという順序で電源供給が行われている（例えば、特許文献１及び２参照）。
【０００３】
また、従来の道路照明設備では、例えば、ＭＣＢ（Ｍｏｌｄｅｄ  ｃａｓｅ  Ｃｉｒｃｕｉｔ  Ｂｒｅａｋｅｒ）及び接続端子が内蔵されたジョイントボックスを用いた送り配線により、各照明灯を電気的に接続（直列接続）することで、電気室からの電源（主電源及び調光電源等）を各照明灯に供給している。
【０００４】
なお、このような電源供給システムは、トンネル灯、街路灯、あるいは、倉庫・工場照明灯などの室外施設用の照明灯にも採用されている。
【特許文献１】特開２０００−０６８０７８号公報
【特許文献２】特開２００２−０４３０７１号公報
【発明の開示】
【発明が解決しようとする課題】
【０００５】
ところで、道路照明設備に用いられる道路灯は、一般に高圧ナトリウムランプが使用されており、専用の安定器が内蔵されていることから、その安定器の絶縁不良による故障が発生することがある。また、電路の絶縁不良による故障も発生することがある。
【０００６】
このような故障が発生したときには、まずは電気室側で電源供給が遮断され、その後に故障箇所を特定する必要がある。上記した従来の道路照明設備では、電源供給遮断後に、絶縁不良箇所を特定する際（絶縁抵抗測定を実施する際）に、各照明灯に設置したジョイントボックス内の接続端子のビスを外して配線ケーブルを電気的に切り離す必要があり、その作業に多くの時間を要する。また、復旧の際に、ジョイントボックス内の接続端子へのビス止めにより配線ケーブルの電気的な接続を行う必要があり、この復旧作業にも多くの時間を要するため、照明機能停止が長時間になる場合がある。なお、従来のシステム（道路照明設備）では、上記した切り離し作業・復旧作業の際に、接続ビスの紛失や配線の接続間違いなどが発生する可能性もある。
【０００７】
本発明はそのような実情を考慮してなされたもので、安定器を有する複数の照明灯が接続された接続システムにおいて、安定器の絶縁不良などの故障が発生した場合に、その故障箇所の特定を簡単かつ短時間で終えることが可能なシステムの提供を目的とする。
【課題を解決するための手段】
【０００８】
上記した目的を達成するため、本発明は、安定器を有する複数の照明灯の接続に、第１ボックス（マスターボックス）と第２ボックス（スレーブボックス）とを用いる。第１ボックスは、入力端子と、出力端子と、安定器接続端子と、断路器とを備え、前記入力端子と出力端子とが断路器を介して接続され、前記入力端子と安定器接続端子とが接続されている。第２ボックスは、入力端子と、出力端子と、安定器接続端子と、断路器とを備え、前記入力端子と出力端子とが接続され、前記入力端子と安定器接続端子とが断路器を介して接続されている。
【０００９】
そして、１照明回路を構成する複数の照明灯を少なくとも２つのグループに分け、その各グループを構成する複数の照明灯のうちの１つに前記第１ボックスを設けてその照明灯の安定器を当該第１ボックスの前記安定器接続端子に接続し、他の各照明灯にはそれぞれ前記第２ボックスを設けてその各照明灯の安定器を当該第２ボックスの安定器接続端子に接続するとともに、１グループを構成する複数の照明灯について、前記第１ボックスの出力端子と前記第２ボックスの入力端子とを接続し、第２ボックス同士は、その一方の第２ボックスの出力端子と他方の第２ボックスの入力端子とを接続することにより、１つの第１ボックスに対して複数の第２ボックスを直列に接続する。さらに、前記複数のグループ間の接続については、１グループの第１ボックスの出力端子と他グループの第１ボックスの入力端子とを接続するか、または、１グループの末端に配置された第２ボックスの出力端子と他グループの第１ボックスの入力端子とを接続することを特徴としている。
【００１０】
なお、本発明において、安定器と接続端子との電気的な接続や、接続端子同士の電気的な接続などの電気的接続を単に「接続」という場合もある。
【００１１】
本発明によれば、照明システムに絶縁不良による故障が発生したときに、その故障箇所（安定器・電路）を特定する作業を簡単かつ短時間で終了することできる。この点について具体的に説明する。
【００１２】
まず、本発明において、１照明回路を構成する複数の照明灯を、例えば、ＡグループとＢグループとに分け、そのＡグループを構成する複数の照明灯のうちの１つに第１ボックス（マスターボックス）を設け、他の各照明灯にそれぞれ第２ボックス（スレーブボックス）を設ける。さらに第１ボックスの出力端子と第２ボックスの入力端子とを接続し、第２ボックス同士については、一方の第２ボックスの出力端子と他方の第２ボックスの入力端子とを接続することにより、１つの第１ボックスに対して複数の第２ボックスを直列に接続する。また、Ｂグループの照明灯についても、同様な接続により、１つの第１ボックスに対して複数の第２ボックスを直列に接続する。
【００１３】
そして、このようにして構成したＡグループ及びＢグループについて、例えば、Ａグループ末端の第２ボックスの出力端子をＢグループの第１ボックスの入力端子に接続するとともに、Ａグループの第１ボックスの入力端子を電源回線（電気室からの電源供給用）に接続することによって照明灯の接続システムを構築する。
【００１４】
なお、この接続システムにおいて、Ａグループ及びＢグループの各第１ボックスの断路器は通常時閉であり、各々の第１ボックスの入力端子と出力端子とが接続されている。また、全ての第２ボックスの断路器も通常時閉であり、各々の第２ボックスの入力端子と安定器接続端子とが接続されている。
【００１５】
ここで、以上のような構成の照明灯の接続システムにおいて、ある部位の安定器または電路（端子間の接続電路）に絶縁不良が生じた場合、まずは電気室側で電源供給が遮断される。その後に、Ａグループの第１ボックスの断路器及びＢグループの第１ボックスの断路器を共に開放した状態で、メガー（絶縁抵抗計）にてメガリング（絶縁抵抗測定）を実施して、絶縁破壊（故障）が生じているグループを検出する。このメガリングにより、例えばＡグループに絶縁不良が発生している場合、第１ボックスに直列接続されている第２ボックスの断路器を、第１ボックス側から順次開放していき、その断路器開放ごとにメガリングを実施することにより、絶縁不良箇所（安定器または電路）を検出することができる。この例の場合、Ｂグループの安定器や電路についてはメガリングを実施する必要がないので、故障箇所の特定作業の効率化（短縮化）を図ることができる。
【００１６】
以上のように、本発明の接続システムによれば、１フィーダ系統（１照明回路）を構成する複数の照明灯を少なくとも２つのグループに分けているので、絶縁不良が発生したときには、まずは故障グループを検出し、その故障グループのみについて故障箇所の検出作業を行えばよいので、安定器の絶縁不良などによる故障箇所の絞り込み（特定）に要する時間を短くすることができる。しかも、各ボックスに設けた断路器を所定のルーチン処理で操作（開放操作）するだけで、配線ケーブルを切り離す作業を行うことなく、各照明灯を簡単に切り離すことができるので作業効率が大幅に向上する。その結果として、故障対応時間の短縮化を図ることができ、ドライバの視環境を速やかに確保することができる。また、故障対応時間の短縮化に伴い作業に余裕が生じることから作業の安全性を確保することができる。
【００１７】
なお、本発明の接続システムでは、故障箇所の特定作業・復旧作業の際に接続ビスの紛失や配線の接続間違いなどが発生する可能性もない。
【００１８】
本発明において、第１ボックスの内部に避雷器を配置し、その避雷器を安定器接続端子に接続しておいてもよい。このように避雷器を実装しておくと、雷害の発生リスクを低減することができる。
【発明を実施するための最良の形態】
【００１９】
以下、本発明の実施形態を図面に基づいて説明する。
【００２０】
まず、本発明の接続システムに用いるマスタージョイントボックス（第１ボックス）及びスレーブジョイントボックス（第２ボックス）について、図１及び図２を参照して説明する。
【００２１】
−マスタージョイントボックス−
図１に示すマスタージョイントボックス（以下、「マスターボックス」という）１０１は、ランプ（例えば、高圧ナトリウムランプ）１１及び安定器１２を有する道路灯１の１次側（安定器１２の１次側）に接続されるボックスであって、入力端子Ｔ１１ｒ，Ｔ１１ｓ，Ｔ１１ｔ，Ｔ１１ｎ，Ｔ１１ｃ（以下、特に区別しない場合には「入力端子Ｔ１１」という）と、出力端子Ｔ１２ｒ，Ｔ１２ｓ，Ｔ１２ｔ，Ｔ１２ｎ，Ｔ１２ｃ（以下、特に区別しない場合には「出力端子１２」という）と、これら入力端子Ｔ１１と出力端子Ｔ１２との間に設けられ、入力端子Ｔ１１と出力端子Ｔ１２との接続及びその切り離しを行うための断路器ＳＷ１１ｒ，ＳＷ１１ｓ，ＳＷ１１ｔ，ＳＷ１１ｎ，ＳＷ１１ｃ（以下、特に区別しない場合には「断路器ＳＷ１１」という）と、５つの接続端子対が配置された端子台Ｕ１１とを備えている。これらの入力端子Ｔ１１、出力端子Ｔ１２、断路器ＳＷ１１及び端子台Ｕ１１は防水機能型のボックス本体１０１ａの内部に収容されている。
【００２２】
入力端子Ｔ１１は主電源回線（ＲＳＴ線、接地線Ｎ）及び調光電源回線への接続用端子である。また、出力端子Ｔ１２も主電源回線及び調光電源回線への接続用端子である。
【００２３】
断路器ＳＷ１１は、電流が流れていない状態で開閉操作される電気機器であって、例えば、操作レバーの操作により回動するブレード（断路刃）とコンタクト（接触子）とを備え、ブレードをコンタクトに接触させた状態（接続状態；入力端子Ｔ１１と出力端子Ｔ１２との接続状態）から、操作レバーによりブレードを回動させてコンタクトから切り離すことにより電路を遮断（入力端子Ｔ１１と出力端子Ｔ１２との電気的な接続を遮断）することができる。なお、図１では、断路器ＳＷ１１を開放状態で示しているが、この例に用いる断路器ＳＷ１１は通常時閉である。また、断路器ＳＷ１１は、配電路の必用充分な電流容量と許容電圧降下に相応しい太さをもったケーブルを接続可能な接続端子を有するものとする。
【００２４】
この例において、各断路器ＳＷ１１のブレードをそれぞれ個別の操作レバーにて回動させる構造であってもよいし、５台の断路器ＳＷ１１の全てのブレードを１つの操作レバーの操作により回動させる構造を採用してもよい。また、５台の断路器ＳＷ１１、入力端子Ｔ１１及び出力端子Ｔ１２を一体化して断路端子台を構成しておいてもよい。
【００２５】
一方、端子台Ｕ１１には、連絡端子Ｔ１３ｒ，Ｔ１３ｎ，Ｔ１３ｃ，Ｔ１３ａ，Ｔ１３ｂ（以下、特に区別しない場合には「連絡端子１３」という）と、安定器接続端子Ｔ１４ｒ，Ｔ１４ｎ，Ｔ１４ｃ，Ｔ１４ａ，Ｔ１４ｂ（以下、特に区別しない場合には「安定器接続端子１４」という）とからなる接続端子対が配置されている。
【００２６】
端子台Ｕ１１に配置された連絡端子Ｔ１３のうち、連絡端子Ｔ１３ｒ，Ｔ１３ｎ，Ｔ１３ｃは、それぞれ、連絡配線Ｌ１１ｒ，Ｌ１１ｎ，Ｌ１１ｃを介して入力端子Ｔ１１ｒ，Ｔ１１ｎ，Ｔ１１ｃに接続されており、他の連絡端子Ｔ１３ａ、Ｔ１３ｂはランプ１１に接続される。また、端子台Ｕ１１に配置された安定器接続端子Ｔ１４ｒ，Ｔ１４ｎ，Ｔ１４ｃ，Ｔ１４ａ，Ｔ１４ｂには安定器１２が接続される。
【００２７】
なお、端子台Ｕ１１に配置された一対の接続端子、つまり、連絡端子Ｔ１３ｒと安定器接続端子Ｔ１４ｒと、連絡端子Ｔ１３ｎと安定器接続端子Ｔ１４ｎと、連絡端子Ｔ１３ｃと安定器接続端子Ｔ１４ｃと、連絡端子Ｔ１３ａと安定器接続端子Ｔ１４ａと、連絡端子Ｔ１３ｂと安定器接続端子Ｔ１４ｂとはそれぞれ電気的に接続されている。
【００２８】
−スレーブジョイントボックス−
図２に示すスレーブジョイントボックス（以下、「スレーブボックス」という）１０２は、ランプ１１及び安定器１２を有する道路灯１の１次側（安定器１２の１次側）に接続されるボックスであって、５つの入力・出力端子対が配置された端子台Ｕ２２と、連絡端子Ｔ２３ｒ，Ｔ２３ｎ，Ｔ２３ｃ，Ｔ２３ａ，Ｔ２３ｂ（以下、特に区別しない場合には「連絡端子２３」という）と、安定器接続端子Ｔ２４ｒ，Ｔ２４ｎ，Ｔ２４ｃ，Ｔ２４ａ，Ｔ２４ｂ（以下、特に区別しない場合には「安定器接続端子２４」という）と、これら連絡端子Ｔ２３と安定器接続端子Ｔ２４との間に設けられ、連絡端子２３と安定器接続端子２４との接続及びその切り離しを行うための断路器ＳＷ２１ｒ，ＳＷ２１ｎ，ＳＷ２１ｃ，ＳＷ２１ａ，ＳＷ２１ｂ（以下、特に区別しない場合には「断路器ＳＷ２１」という）とを備えている。これらの端子台Ｕ２２、連絡端子２３、安定器接続端子２４及び断路器ＳＷ２１は防水機能型のボックス本体１０２ａの内部に収容されている。なお、端子台Ｕ２２は、配電路の許容電圧降下に相応しい太さをもったケーブルを接続可能な接続端子を有するものとする。
【００２９】
端子台Ｕ２１には、入力端子Ｔ２１ｒ，Ｔ２１ｓ，Ｔ２１ｔ，Ｔ２１ｎ，Ｔ２１ｃ（以下、特に区別しない場合には「入力端子２１」という）と、出力端子Ｔ２２ｒ，Ｔ２２ｓ，Ｔ２２ｔ，Ｔ２２ｎ，Ｔ２２ｃ（以下、特に区別しない場合には「出力端子２２」という）とからなる入力・出力端子対が配置されており、その各入力・出力端子同士、つまり入力端子Ｔ２１ｒと出力端子Ｔ２２ｒと、入力端子Ｔ２１ｓと出力端子Ｔ２２ｓと、入力端子Ｔ２１ｔと出力端子Ｔ２２ｔと、入力端子Ｔ２１ｎと出力端子Ｔ２２ｎと、入力端子Ｔ２１ｃと出力端子Ｔ２２ｃとはそれぞれ電気的に接続されている。入力端子Ｔ２１は主電源回線及び調光電源回線への接続用端子である。また、出力端子Ｔ２２も主電源回線及び調光電源回線への接続用端子である。
【００３０】
端子台Ｕ２１に配置された入力端子Ｔ２１のうち、入力端子Ｔ２１ｒ，Ｔ２１ｎ，Ｔ２１ｃは、それぞれ、連絡配線Ｌ２１ｒ，Ｌ２１ｎ，Ｌ２１ｃを介して連絡端子Ｔ２３ｒ，Ｔ２３ｎ，Ｔ２３ｃに接続されており、他の入力端子Ｔ２１ｓ，Ｔ２１ｔはそれぞれ出力端子Ｔ２２ｓ、Ｔ２２ｔのみに接続されている。また、他の連絡端子Ｔ２３ａ，Ｔ２３ｂにはランプ１１が接続される。
【００３１】
断路器ＳＷ２１は、上記したマスターボックス１０１の断路器ＳＷ１１と同様に、電流が流れていない状態で開閉操作される電気機器であり、例えば、操作レバーの操作により回動するブレードとコンタクトとを備え、ブレードをコンタクトに接触させた状態（接続状態；入力端子Ｔ２１（連絡端子２３）と安定器接続端子Ｔ２４との接続状態）から、操作レバーによりブレードを回動させてコンタクトから切り離すことにより電路を遮断（入力端子Ｔ２１（連絡端子２３）と安定器接続端子Ｔ２４との電気的な接続を遮断）することができる。なお、図１では、断路器ＳＷ２１を開放状態で示しているが、この例に用いる断路器ＳＷ２１は通常時閉である。
【００３２】
このスレーブボックス１０２に設ける断路器ＳＷ２１についても、上記したマスターボックス１０１の断路器ＳＷ１１と同様に、各断路器ＳＷ２１のブレードをそれぞれ個別の操作レバーにて回動させる構造であってもよいし、５台の断路器ＳＷ２１の全てのブレードを１つの操作レバーの操作により回動させる構造を採用してもよい。また、５台の断路器ＳＷ２１、入力端子Ｔ２１及び出力端子Ｔ２２を一体化して断路端子台を構成しておいてもよい。
【００３３】
なお、マスターボックス１０２の断路器ＳＷ１１及びスレーブボックス１０２の断路器ＳＷ２１としては、例えば特開平９−３０６３００号公報に記載されているものを適用することができる。
【００３４】
−接続システムの構成−
次に、本発明の照明灯の接続システムの一例について図３を参照して説明する。
【００３５】
この例では、高速道路の道路灯の接続に本発明を適用した例を示している。
【００３６】
１フィーダ系統（１照明回路）には複数（この例では２０灯）の道路灯１・・１が設置されており、この例では、それら複数の道路灯１・・１をＡグループとＢグループの２グループに分けている。なお、図３には、説明を判りやすくするために、各道路灯１に対して端末番号Ｎ１０１，Ｎ１０２，・・，Ｎ１１０，Ｎ２０１，Ｎ２０２，・・，Ｎ２１０を付している。
【００３７】
Ａグループを構成する複数の道路灯１・・１のうち、１灯目（端末Ｎ１０１）の道路灯１（電気室２００に近い側の道路灯１）に、図１に示したマスターボックス（Ｍ）１０１を設置しており、そのマスターボックス（Ｍ）１０１の安定器接続端子Ｔ１４に安定器１２を接続し、連絡端子１３にランプ１１を接続している（図１参照）。他の道路灯１（端末Ｎ１０２〜端末Ｎ１１０）には、それぞれ、図２に示したスレーブボックス（Ｓ）１０２を設置しており、その各スレーブボックス（Ｓ）１０２の安定器接続端子Ｔ２４に安定器１２を接続し、連絡端子２３にランプ１１を接続している（図２参照）。
【００３８】
このＡグループにおいては、１つのマスターボックス（Ｍ）１０１に対し複数（９個）のスレーブボックス（Ｓ）１０２・・１０２を直列に接続している。具体的には、１灯目（端末Ｎ１０１）のマスターボックス（Ｍ）１０１の出力端子Ｔ１２に、２灯目（端末Ｎ１０２）のスレーブボックス（Ｓ）１０２の入力端子Ｔ２１を配線ケーブルを介して接続しており、この２灯目（端末Ｎ１０２）のスレーブボックス（Ｓ）１０２の出力端子Ｔ２２に、３灯目（端末Ｎ１０３）のスレーブボックス（Ｓ）１０２の入力端子Ｔ２１を配線ケーブルを介して接続している。同様にして、４灯目（端末Ｎ１０４）の道路灯１〜１０灯目（端末Ｎ１１０）の道路灯１を順次接続することによって、１つのマスターボックス（Ｍ）１０１に対し複数のスレーブボックス（Ｓ）１０２・・１０２を直列に接続している。
【００３９】
また、Ｂグループの道路灯１・・１についても、同様に、１灯目（端末Ｎ２０１）の道路灯１（Ａグループに近い側の道路灯１）に、図１に示すマスターボックス（Ｍ）１０１を設置しており、そのマスターボックス（Ｍ）１０１の安定器接続端子Ｔ１４に安定器１２を接続し、連絡端子１３にランプ１１を接続している（図１参照）。他の道路灯１（端末Ｎ２０２〜端末Ｎ２１０）には、それぞれ、図２に示したスレーブボックス（Ｓ）１０２を設置しており、その各スレーブボックス（Ｓ）１０２の安定器接続端子Ｔ２４に安定器１２を接続し、連絡端子２３にランプ１１を接続している（図２参照）。このＢグループにおいても、上記したＡグループと同様の接続方法により、１つのマスターボックス（Ｍ）１０１に対し複数（９個）のスレーブボックス（Ｓ）１０２・・１０２を直列に接続している。
【００４０】
そして、Ａグループの末端（１０灯目；端末Ｎ１１０）のスレーブボックス（Ｓ）１０２の出力端子Ｔ２２に、Ｂグループの１灯目（端末Ｎ２０１）の道路灯１のマスターボックス（Ｍ）１０１の入力端子Ｔ１１を配線ケーブルを介して接続して、Ａグループの道路灯１・・１とＢグループの道路灯１・・１とを直列に接続している。さらに、Ａグループの１灯目（端末Ｎ１０１）の道路灯１のマスターボックス（Ｍ）１０１の入力端子Ｔ１１に、電気室２００からの主電源回線及び調光電源回線を接続している。
【００４１】
以上のように、この例の接続システムでは、１つの道路灯１のマスターボックス（Ｍ）１０１に対して複数の道路灯１のスレーブボックス（Ｓ）１０２を直列接続して２つのグループ（ＡグループとＢグループ）を構築し、そのＡグループとＢグループとを電源回線（主電源回線及び調光電源回線等）に直列に接続しているので、グループ単位で故障箇所を特定することが可能になり、故障対応時間の短縮化を図ることができる。この点について以下に説明する。
【００４２】
−接続システムの故障箇所の検出処理−
図３に示す接続システムにおいて、安定器１２の絶縁破壊により漏電地絡電流が生じた場合、電気室２００側で電源供給が遮断され、その電源供給遮断後に、故障箇所を特定する。その特定作業の一例を図３及び図４を参照して説明する。なお、図４には主電源回線のみを示している。
【００４３】
まず、電気室２００からの電源供給が確実に遮断されたことを確認し、その後に、Ａグループの１灯目（端末Ｎ１０１）のマスターボックス（Ｍ）１０１の断路器ＳＷ１１、及び、Ｂグループの１灯目（端末Ｎ２０１）のマスターボックス（Ｍ）１０１の断路器ＳＷ１１を共に開放した状態で、メガー（例えば、ＤＣ５００Ｖメガー）３００にてメガリングを実施して、絶縁破壊（故障）が生じているグループを検出する。このメガリングにより、例えばＡグループに絶縁不良が発生している場合、Ａグループの絶縁不良箇所（安定器１２または電路）を特定する。
【００４４】
具体的には、（１）Ａグループの２灯目（端末Ｎ１０２）のスレーブボックス（Ｓ）１０２の断路器ＳＷ２１を開放した状態で、１灯目（端末Ｎ１０１）の道路灯１の安定器１２に対してメガリングを実施する。その計測結果が絶縁不良（メガー＝０Ω）である場合は、故障箇所が１灯目（端末Ｎ１０１）の道路灯１の安定器１２であると特定することができる。
【００４５】
（２）Ａグループの２灯目（端末Ｎ１０２）のスレーブボックス（Ｓ）１０２の断路器ＳＷ２１を開放した状態で、２灯目（端末Ｎ１０２）の道路灯１の安定器１２に対してメガリングを実施する。その計測結果が絶縁不良（メガー＝０Ω）である場合、故障箇所が２灯目（端末Ｎ１０２）の道路灯１の安定器１２であると特定することができる。
【００４６】
（３）上記した（２）の作業を終了した後に、３灯目（端末Ｎ１０３）のスレーブボックス（Ｓ）１０２の断路器ＳＷ２１を開放し、この状態で、３灯目（端末Ｎ１０３）の道路灯１の安定器１２に対してメガリングを実施する。その計測結果が絶縁不良（メガー＝０Ω）である場合、故障箇所が３灯目（端末Ｎ１０３）の道路灯１の安定器１２であると特定することができる。同様にして、Ａグループの４灯目（端末Ｎ１０４）〜１０灯目（端末Ｎ１１０）の道路灯１について、各スレーブボックス（Ｓ）１０２の断路器ＳＷ２１を順次開放していき、その各スレーブボックス（Ｓ）１０２の断路器ＳＷ２１を開放するごとにメガリングを実施することにより、故障箇所（安定器１２の絶縁不良）を特定することができる。
【００４７】
ここで、以上の故障検出処理により安定器１２の絶縁不良が検出されなかった場合、Ａグループの各道路灯１間のいずれかの電路に絶縁不良が生じているので、その箇所を特定する。具体的には、Ａグループのマスターボックス１０１の断路器ＳＷ１１、及び、全てのスレーブボックス１０２の断路器ＳＷ２１を開放した状態で、各道路灯１間の電路に対してメガリングを実施する。その計測結果により、例えば図４に示す部位が不良（メガー＝０Ω）である場合、故障箇所が、４灯目（端末Ｎ１０４）のスレーブボックス（Ｓ）１０２の出力端子Ｔ２２と５灯目（端末Ｎ１０５）のスレーブボックス（Ｓ）１０２の入力端子Ｔ２１との間の電路であると特定することができる。
【００４８】
以上のように、この例の接続システムによれば、１フィーダ系統（１照明回路）を構成する複数の道路灯１を２つのグループに分けているので、絶縁不良が発生したときには、まずは故障グループを検出し、その故障グループのみについて故障箇所の検出作業を行えばよいので、安定器１２の絶縁不良などによる故障箇所の絞り込み（特定）に要する時間を短くすることができる。しかも、各ボックス１０１，１０２に設けた断路器ＳＷ１１，ＳＷ２１を所定のルーチン処理で開放操作するだけで、配線ケーブルを切り離す作業を行うことなく、各道路灯１を簡単に切り離すことができるので作業効率が大幅に向上する。その結果として、故障対応時間の短縮化を図ることができ、ドライバの視環境を速やかに確保することができる。
【００４９】
また、故障対応時間の短縮化に伴い作業に余裕が生じることから作業の安全性を確保することができる。さらに、断路器ＳＷ１１，ＳＷ２１の操作（開放操作）などの作業をルーチン化することで、緊急対応待機保守員の技量の差を小さくすることができ、安定した作業結果を得ることができる。
【００５０】
−マスターボックスの変形例−
図５はマスターボックスの他の例を示す図である。
【００５１】
この例のマスターボックス１１０は、図１に示したマスターボックス１０１の構成に加えて、避雷器１１１をボックス本体１１０ａの内部に配置し、その避雷器１１１を安定器接続端子Ｔ１４に連絡端子Ｔ１３を介して電気的に接続した点に特徴がある。このようにして避雷器１１１を実装しておくと、雷害の発生リスクを低減することができる。
【００５２】
−他の実施形態−
以上、本発明の実施形態を図面に基づいて詳細に説明したが、これはあくまでも一実施形態であり、本発明は当業者の知識に基づいて種々の変更、改良を加えた態様で実施することができる。
【００５３】
以上の例（図３の例）では、Ａグループの末端（１０灯目；端末Ｎ１１０）のスレーブボックス（Ｓ）１０２の出力端子Ｔ２２に、Ｂグループの１灯目（端末Ｎ２０１）の道路灯１のマスターボックス（Ｍ）１０１の入力端子Ｔ１１を接続し、Ａグループの１灯目（端末Ｎ１０１）の道路灯１のマスターボックス（Ｍ）１０１の入力端子Ｔ１１に主電源回線及び調光電源回線を接続しているが、本発明はこれに限定されない。例えば、図６に示すように、Ａグループのマスターボックス（Ｍ）１０１及びスレーブボックス（Ｓ）１０２の接続形態を図３の例に対して逆の形態（マスターボックス（Ｍ）１０１を電気室２００に対して遠い側に配置する形態）とし、そのＡグループの１灯目（端末Ｎ１０１）の道路灯１のマスターボックス（Ｍ）１０１の出力端子Ｔ１２に、Ｂグループの１灯目（端末Ｎ２０１）の道路灯１のマスターボックス（Ｍ）１０１の入力端子Ｔ１１を接続し、Ａグループの先端（１０灯目；端末Ｎ１１０）のスレーブボックス（Ｓ）１０２の入力端子Ｔ２１に主電源回線及び調光電源回線を接続してもよい。
【００５４】
以上の例では、１フィーダ系統に設置される複数の道路灯１・・１を２つのグループ（Ａグループ及びＢグループ）に分けた例を示しているが、本発明はこれに限られることなく、３つ以上のグループに分けてもよい。この場合も、マスターボックス１０１とスレーブボックス１０２との組み合わせを考慮することにより、故障箇所（絶縁不良箇所）の特定作業を効率的かつ確実に行うことができる。
【００５５】
以上の例では、入力端子、出力端子、断路器、連絡端子及び安定器接続端子の数を５個としているが、これに限られることなく、照明回路の電源回線数などに応じて変更してもよい。
【００５６】
以上の例では、高速道路に設置される道路灯の接続システムに本発明を適用した例を示しているが、本発明はこれに限られることなく、例えばトンネル灯、街路灯、あるいは、倉庫・工場照明灯などの室外施設用の各種照明灯の接続システムにも適用できる。
【図面の簡単な説明】
【００５７】
【図１】本発明の照明灯の接続システムに用いるマスターボックスの一例を示す図である。
【図２】本発明の照明灯の接続システムに用いるスレーブボックスの一例を示す図である。
【図３】本発明の照明灯の接続システムの一例を示すブロック図である。
【図４】故障箇所の検出手順の説明図である。
【図５】本発明の照明灯の接続システムに適用するマスターボックスの他の例を示す図である。
【図６】本発明の照明灯の接続システムの他の例を示すブロック図である。
【符号の説明】
【００５８】
１  道路灯
１１  ランプ
１２  安定器
１０１  マスターボックス（第１ボックス）
Ｔ１１ｒ，Ｔ１１ｓ，Ｔ１１ｔ，Ｔ１１ｎ，Ｔ１１ｃ  入力端子
Ｔ１２ｒ，Ｔ１２ｓ，Ｔ１２ｔ，Ｔ１２ｎ，Ｔ１２ｃ  出力端子
ＳＷ１１ｒ，ＳＷ１１ｓ，ＳＷ１１ｔ，ＳＷ１１ｎ，ＳＷ１１ｃ  断路器
Ｕ１１  接続台
Ｔ１３ｒ，Ｔ１３ｎ，Ｔ１３ｃ，Ｔ１３ａ，Ｔ１３ｂ  連絡端子
Ｔ１４ｒ，Ｔ１４ｎ，Ｔ１４ｃ，Ｔ１４ａ，Ｔ１４ｂ  安定器接続端子
２０１  スレーブボックス（第２ボックス）
Ｕ２１  端子台
Ｔ２１ｒ，Ｔ２１ｓ，Ｔ２１ｔ，Ｔ２１ｎ，Ｔ２１ｃ  入力端子
Ｔ２２ｒ，Ｔ２２ｓ，Ｔ２２ｔ，Ｔ２２ｎ，Ｔ２２ｃ  出力端子
ＳＷ２１ｒ，ＳＷ２１ｎ，ＳＷ２１ｃ，ＳＷ２１ａ，ＳＷ２１ｂ  断路器
Ｔ２３ｒ，Ｔ２３ｎ，Ｔ２３ｃ，Ｔ２３ａ，Ｔ２３ｂ  連絡端子
Ｔ２４ｒ，Ｔ２４ｎ，Ｔ２４ｃ，Ｔ２４ａ，Ｔ２４ｂ  安定器接続端子
１１１  避雷器
２００  電気室
３００  メガー（絶縁抵抗計）
【図１】
2010080305.tif 000003
【図２】
2010080305.tif 000004
【図３】
2010080305.tif 000005
【図４】
2010080305.tif 000006
【図５】
2010080305.tif 000007
【図６】
2010080305.tif 000008